【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
いつサービス品質を報告すべきかを決定するために、第２のノード、ポイントまたはターミナル内の第１のノード、ポイントまたはターミナルから、報告規則または条件を備えた測定要求を受信する段階と、
ワイヤレス・ローカル・エリア・ネットワークまたは他の適切なネットワークにおいて、サービス品質に関する報告を前記報告規則又は条件に基づいて前記第１のノード、ポイントまたはターミナルに提供する段階と、
を有することを特徴とする方法。
【請求項２】
前記報告規則または条件はトリガ閾値を含む、請求項１に記載の方法。
【請求項３】
前記トリガ閾値はトリガされたサービス品質統計に関する情報を含む、請求項２に記載の方法。
【請求項４】
カウンタの値がトリガ閾値の値を超えた場合に前記トリガ閾値は条件が満たされる、請求項２に記載の方法。
【請求項５】
前記第１のノード、ポイントまたはターミナルは、アクセス・ポイントであり、前記第２のノード、ポイントまたはターミナルは基地局である、請求項１に記載の方法。
【請求項６】
前記第１のノード、ポイントまたはターミナルは、１つ以上のトリガ閾値を提供し、複数のチャネルに渡る複数の測定タイプを含んでいる、請求項２に記載の方法。
【請求項７】
前記報告規則または条件は、ランダム化インターバル、測定期間、ピアアドレス、トラフィック識別子、バイナリ0レンジ、使用可能なトリガされた報告、報告閾値、グループ・アイデンティティ、あるいはこれらの組み合わせのいずれかを含む測定要求フレーム内で規定されている、請求項２に記載の方法。
【請求項８】
前記トリガ閾値は、
送信された媒体アクセス制御サービス・データ・ユニットの数は測定回数フィールドで特定され、送信された媒体アクセス制御サービス・データ・ユニットの指定数を超える、媒体アクセス制御プロトコル・データ・ユニットまたは媒体アクセス制御サービス・データ・ユニットの失敗、または、
連続する媒体アクセス制御プロトコル・データ・ユニットまたは媒体アクセス制御サービス・データ・ユニットの失敗数、または、
閾値を超えて遅延する連続する媒体アクセス制御プロトコル・データ・ユニットまたは媒体アクセス制御サービス・データ・ユニット、または、
これらの組み合わせを含む、請求項３に記載の方法。
【請求項９】
前記規則または条件が満たされた場合、前記第２のノード、ポイントまたはターミナルは、サービス品質についての情報を含む測定報告を送信する、請求項１に記載の方法。
【請求項１０】
前記第２のノード、ポイントまたはターミナルは１つ以上のチャネル自体を測定するか、または、
前記第２のノード、ポイントまたはターミナルは、これらに代わって、ピア・ノード、ポイントまたはターミナルに、１つ以上のチャネルを測定するよう要求するか、またはこれらを組み合わせる、請求項１に記載の方法。
【請求項１１】
他のノード、ポイントまたはターミナルに、１つ以上のチャネルを測定するように要求するとき、前記第２のノード、ポイントまたはターミナルは、１つ以上の測定要求要素を含む測定要求フレームを提供する、請求項１０に記載の方法。
【請求項１２】
前記測定要求フレームは、ユニキャスト、マルチキャストまたはブロードキャストのあて先アドレスに送信される、請求項１１に記載の方法。
【請求項１３】
前記第２のノード、ポイントまたはターミナルが、複数の測定要求を受信した場合、
個別にアドレスされた測定要求フレーム内で受信された測定要求、
マルチキャスト・グループにアドレスされた測定要求フレーム内で受信された測定要求、および、
ブロードキャスト・アドレスされた測定要求フレーム内で受信された測定要求、の優先順位に従う、請求項１に記載の方法。
【請求項１４】
前記第２のノード、ポイントまたはターミナルが、要求された測定を実行できないときは、その測定要求を完了できない旨を表示して応答する、請求項１に記載の方法。
【請求項１５】
前記第２のノード、ポイントまたはターミナルは、以下の状況、即ち、
要求された測定タイプがサポートされていない状況、または、
１つ以上の要求が異なるチャネルに関連しているために、測定している基地局は、要求された平行測定をサポートできない状況において、要求された測定を行なうことができない、請求項１４に記載の方法。
【請求項１６】
前記測定報告は、実際の測定開始時間、測定期間、ピアアドレス、トラフィック識別子、報告理由フィールド、媒体アクセス制御サービス・データ・ユニット送信回数、媒体アクセス制御サービス・データ・ユニット廃棄回数、媒体アクセス制御サービス・データ・ユニット失敗回数、媒体アクセス制御サービス・データ・ユニット複数回再試行回数、サービス品質ポール損失回数、平均キュー遅延、平均送信遅延、あるいはこれらの組み合わせを含む、請求項９に記載の方法。
【請求項１７】
前記第２のノード、ポイントまたはターミナルは、トリガされた自動報告として、自動測定報告をピア・ノード、ポイントまたはターミナルに提供する、請求項９に記載の方法。
【請求項１８】
前記自動測定報告は、前記第２のノード、ポイントまたはターミナルの条件の変更を含む、請求項１７に記載の方法。
【請求項１９】
前記自動測定報告は、トリガされた条件に従う、請求項１７に記載の方法。
【請求項２０】
前記第２のノード、ポイントまたはターミナルは、トリガされた自動報告を受信することを希望している旨を表示する、請求項１７に記載の方法。
【請求項２１】
サービス品質をいつ報告すべきかを決定するために、報告規則または条件を備えた測定要求を他のノード、ポイントまたはターミナルに提供し、かつ
ワイヤレス・ローカル・エリア・ネットワークまたは他方の適切なネットワークにおいて、他のノード、ポイントまたはターミナルから、サービス品質に関する報告を受信するように構成された１つまたは複数のモジュールを有するノード、ポイントまたはターミナル。
【請求項２２】
前記報告規則または条件は、トリガ閾値を含む、請求項２１に記載のノード、ポイントまたはターミナル。
【請求項２３】
前記トリガ閾値は、トリガされたサービス品質統計に関する情報を含む、請求項２２に記載のノード、ポイントまたはターミナル。
【請求項２４】
カウンタの値がトリガ閾値の値を超えた場合に前記トリガ閾値は条件が満たされる、請求項２２に記載のノード、ポイントまたはターミナル。
【請求項２５】
前記ノード、ポイントまたはターミナルは、アクセス・ポイントであり、前記他のノード、ポイントまたはターミナルは基地局である、請求項２１に記載のノード、ポイントまたはターミナル。
【請求項２６】
前記ノード、ポイントまたはターミナルは、１つ以上のトリガ閾値を提供し、複数のチャネルに渡る複数の測定タイプを含んでいる、請求項２２に記載のノード、ポイントまたはターミナル。
【請求項２７】
前記報告規則または条件は、ランダム化インターバル、測定期間、ピアアドレス、トラフィック識別子、バイナリ0レンジ、使用可能なトリガされた報告、報告閾値、グループ・アイデンティティ、あるいはこれらの組み合わせのいずれかを含む測定要求フレーム内で規定されている、請求項２２に記載のノード、ポイントまたはターミナル。
【請求項２８】
前記トリガ閾値は、
送信された媒体アクセス制御サービス・データ・ユニットの数は測定回数フィールドで特定され、送信された媒体アクセス制御サービス・データ・ユニットの指定数を超える、媒体アクセス制御プロトコル・データ・ユニットまたは媒体アクセス制御サービス・データ・ユニットの失敗、または、
連続する媒体アクセス制御プロトコル・データ・ユニットまたは媒体アクセス制御サービス・データ・ユニットの失敗数、または、
閾値を超えて遅延する連続する媒体アクセス制御プロトコル・データ・ユニットまたは媒体アクセス制御サービス・データ・ユニット、または、
これらの組み合わせを含む、請求項２３に記載のノード、ポイントまたはターミナル。
【請求項２９】
前記規則または条件が満たされた場合、前記他のノード、ポイントまたはターミナルは、サービス品質についての情報を含む測定報告を送信する、請求項２１に記載のノード、ポイントまたはターミナル。
【請求項３０】
いつサービス品質を報告すべきかを決定するために、報告規則または条件を備えた要求を他方のノード、ポイントまたはターミナルから受信し、かつ、
前記報告規則または条件に基づいて、他のノード、ポイントまたはターミナルにワイヤレス・ローカル・エリア・ネットワークまたは他の適切なネットワークにおいて、サービス品質に関する報告を提供するように構成された１つまたは複数のモジュールを有するノード、ポイントまたはターミナル。
【請求項３１】
前記ノード、ポイントまたはターミナルは１つ以上のチャネル自体を測定するか、または、
前記他のノード、ポイントまたはターミナルは、これらに代わって、ピア・ノード、ポイントまたはターミナルに、１つ以上のチャネルを測定するよう要求するか、またはこれらを組み合わせる、請求項３０に記載のノード、ポイントまたはターミナル。
【請求項３２】
前記他のノード、ポイントまたはターミナルが１つ以上のチャネルの測定を要求するとき、前記ノード、ポイントまたはターミナルは、１つ以上の測定要求要素を含む測定要求フレームを受信する、請求項３０に記載のノード、ポイントまたはターミナル。
【請求項３３】
前記測定要求フレームは、ユニキャスト、マルチキャストまたはブロードキャストのあて先アドレスで受信される、請求項３２に記載のノード、ポイントまたはターミナル。
【請求項３４】
前記ノード、ポイントまたはターミナルが、複数の測定要求を受信した場合、以下の優先順位、即ち
個別にアドレスされた測定要求フレーム内で受信された測定要求、
マルチキャスト・グループにアドレスされた測定要求フレーム内で受信された測定要求、および、
ブロードキャスト・アドレスされた測定要求フレーム内で受信された測定要求、を利用する、請求項３０に記載のノード、ポイントまたはターミナル。
【請求項３５】
前記ノード、ポイントまたはターミナルが、要求された測定を実行できないときは、その測定要求を完了できない旨を表示して応答する、請求項３０に記載のノード、ポイントまたはターミナル。
【請求項３６】
前記ノード、ポイントまたはターミナルは、以下の状況、即ち、
要求された測定タイプがサポートされていない、または、
１つ以上の要求が異なるチャネルに関連しているために、測定している基地局は、要求された平行測定をサポートできない状況において、要求された測定を行なうことができない、請求項３５に記載のノード、ポイントまたはターミナル。
【請求項３７】
前記報告は、実際の測定開始時間、測定期間、ピアアドレス、トラフィック識別子、報告理由フィールド、媒体アクセス制御サービス・データ・ユニット送信回数、媒体アクセス制御サービス・データ・ユニット廃棄回数、媒体アクセス制御サービス・データ・ユニット失敗回数、媒体アクセス制御サービス・データ・ユニット複数回再試行回数、サービス品質ポール損失回数、平均キュー遅延、平均送信遅延、あるいはこれらの組み合わせを含む、請求項３０に記載のノード、ポイントまたはターミナル。
【請求項３８】
前記ノード、ポイントまたはターミナルは、トリガされた自動報告として、自動測定報告をピア・ノード、ポイントまたはターミナルに提供する、請求項３０に記載のノード、ポイントまたはターミナル。
【請求項３９】
前記自動測定報告は、前記第２のノード、ポイントまたはターミナルの条件の変更を含む、請求項３８に記載のノード、ポイントまたはターミナル。
【請求項４０】
前記自動測定報告は、トリガされた条件に従う、請求項３８に記載のノード、ポイントまたはターミナル。
【請求項４１】
前記ノード、ポイントまたはターミナルは、トリガされた自動報告を受信することを希望している旨を表示する、請求項３８に記載のノード、ポイントまたはターミナル。
【請求項４２】
マシン読み取り可能な媒体に保存されたプログラム・コードを備えたコンピュータ・プログラム製品であって、
前記コンピュータ・プログラムが、基地局などの第２のノードまたはポイントのモジュールにおいて動作しているときに、
サービス品質についていつ報告すべきかを決定するために、報告規則または条件を備えた測定要求を第２のノード、ポイントまたはターミナル内の第１のノード、ポイントまたはターミナルから受信する段階と、
前記報告規則または条件に基づいて、ワイヤレス・ローカル・エリア・ネットワークまたは他の適切なネットワークにおいて、サービス品質に関する報告を前記第１ノード、ポイントまたはターミナルに提供する段階と、を有する方法を実行するコンピュータ・プログラム製品。
【請求項４３】
前記方法は、ワイヤレス・ローカル・エリア・ネットワークの１つ以上のネットワークのノード、ポイント、ターミナルまたは要素におけるプロセッサ、コントローラまたは他の適切なモジュールにおいて実行するコンピュータ・プログラムを介して、前記方法のステップを実行する工程をさらに有する、請求項１に記載の方法。
【請求項４４】
前記第１のノード、ポイントまたはターミナルは、基地局であり、前記第２のノード、ポイントまたはターミナルは基地局である、請求項１に記載の方法。
【請求項４５】
いつサービス品質を報告すべきかを決定するために、ノード、ポイントまたはターミナルから、報告規則または条件を備えた測定要求を受信する手段と、
ワイヤレス・ローカル・エリア・ネットワークまたは他の適切なネットワークにおいて、サービス品質に関する報告を前記報告規則又は条件に基づいて前記ノード、ポイントまたはターミナルに提供する手段と、
を有することを特徴とする装置。
【請求項４６】
いつサービス品質を報告すべきかを決定するために、ノード、ポイントまたはターミナルから、報告規則または条件を備えた測定要求を受信し、かつ、
ワイヤレス・ローカル・エリア・ネットワークまたは他の適切なネットワークにおいて、サービス品質に関する報告を前記報告規則又は条件に基づいて前記ノード、ポイントまたはターミナルに提供するように構成された１つまたは複数のモジュール。
【請求項４７】
いつサービス品質を報告すべきかを決定するために、ノード、ポイントまたはターミナルに報告規則または条件を備えた測定要求を提供し、かつ、
ワイヤレス・ローカル・エリア・ネットワークまたは他の適切なネットワークにおいて、サービス品質に関する報告を前記報告規則又は条件に基づいて前記ノード、ポイントまたはターミナルから受信するように構成された１つまたは複数のモジュール。
【手続補正２】
【補正対象書類名】図面
【補正対象項目名】図３ｂ
【補正方法】変更
【補正の内容】
【図３ｂ】
2008533895.tif 000001